(57)【要約】【課題】特定の描画材料または筆記具のカラーチャートを、当該描画材料または筆記具を所有する利用者が簡易に作成して、色を正しく把握できるようにする。【解決手段】複数の枠、および各枠内に塗る色の色名および／または色名に対応する番号を、紙等のシートに印刷して、描画材料または筆記具のカラーチャートを作成するためのシートとする。枠は、互いに分離して配置されていてよく、その場合、色名および／または番号は各枠の近傍に表示する。【選択図】図１
2008122671.tif 000002
【特許請求の範囲】
【請求項１】
描画材料または筆記具のカラーチャートを作成するためのシートであって、
複数の枠、および
各枠内に塗る色の色名および／または色名に対応する番号
が印刷されている、カラーチャート作成用シート。
【請求項２】
描画材料または筆記具の商品名がさらに印刷されている、請求項１に記載のカラーチャート作成用シート。
【請求項３】
各枠が分離している、請求項１または２に記載のカラーチャート作成用シート。
【請求項４】
枠が１５〜８０個設けられている、請求項１〜３のいずれか１項に記載のカラーチャート作成用シート。
【請求項５】
請求項１〜４のいずれか１項に記載のカラーチャート作成用シートが綴じ込まれた塗り絵本。
【発明の詳細な説明】
【技術分野】
【０００１】
本発明は、描画材料または筆記具のカラーチャートを、描画材料または筆記具の使用者が作成することを可能にする、カラーチャート作成用シートに関する。
【背景技術】
【０００２】
着色または描画のために用いる描画材料および筆記具として、種々多様な製品が既に販売されている。着色または描画のために用いる筆記具は、代表的には色鉛筆であり、描画材料は、代表的には水彩絵の具である。色鉛筆は、描画材料に区分されることもある。
【０００３】
筆記具および描画材料の新しい利用方法の一つとして、「塗り絵」が着目されている。「塗り絵」それ自体は、広く知られており、これまでは、主に子供の玩具用品として提供されてきた。そのため、これまでの塗り絵の絵柄の多くは、子供が容易に色を塗れるような単純なものであった。最近では、絵柄を、ボタニカルアート（植物画）、鳥、ならびに印象派の画家による風景画および人物画等とした、大人が楽しむための塗り絵が提供されている。
【０００４】
大人用に提供される塗り絵は、細かい部分を多数の色で塗り分ける、および複数の色を重ね塗りする等の技術を使って完成させられる。完成した塗り絵は、深みのある絵画調の作品として、鑑賞のために額に入れて飾る、またはポストカードとして使用することが可能なものである。このように、大人用に提供される塗り絵は、下絵を作製しなくてもよいという気軽さと、作品の完成度の高さとが、これまで絵画に興味の無かった人々および本格的な絵画に挑戦することをためらっていた人々の支持を受けている。
【発明の開示】
【発明が解決しようとする課題】
【０００５】
大人用に提供される塗り絵の多くは、下絵の作製が不要とはいえ、描画材料または筆記具を適切に使用し、かつ色を適切に選択し、必要に応じて重ね塗り等をしなければ、高度な作品が完成しないようなものである。しかし、塗り絵に挑戦しようとする人の多くは、描画材料または筆記具の使用方法および色彩の基礎的知識、即ち、色を正しく塗る方法を習得していない。そのような人々にも、塗り絵を楽しんでもらうには、色を塗るための描画材料または筆記具、見本および下絵だけでなく、色を正しく塗る方法を教授する道具が必要である。
【０００６】
色を正しく塗るには、まず、自分が使用する描画材料または筆記具の色を正確に知る必要がある。描画材料または筆記具の色は、例えば、色鉛筆の場合には、芯の色を見ることによって把握し、水彩絵の具の場合には、絵の具それ自体、または絵の具の容器（例えばチューブ）または外装体（例えば箱）に表示された色見本を見ることによって把握するのが一般的である。しかし、色鉛筆の芯の色、および容器等に表示された色は、実際に紙またはカンバスに塗った色とは異なることがある。また、多色セット（例えば６０色セット）の描画材料または筆記具には、類似する色が数色含まれていて、利用者は、どの色をどこで使えばよいのか判断に迷うことがある。
【０００７】
さらに、描画材料または筆記具には、その種類または販売会社によって、独特の色名または色番号が付されていることがある。そのため、利用者は、具体的な色と、色名または色番号とを結びつけにくいこともある。さらに、塗り絵等の各種絵画を教授する教室および書籍においては、色名等が指定されて、具体的な指導がなされることがある。そのような場面にも対応できるように、色名等とそれに対応する色を覚えることも、利用者にとって有用である。
【０００８】
本発明は、上記事情に鑑みてなされたものであり、利用者が実際に使用する描画材料または筆記具の色を正確に知るための道具として、実際に使用する描画材料または筆記具を用いてカラーチャートを完成させるためのシートを提供することを目的とする。
【課題を解決するための手段】
【０００９】
本発明は、描画材料または筆記具のカラーチャートを作成するためのシートであって、
複数の枠、および
各枠内に塗る色の色名および／または色名に対応する番号
が印刷されている、カラーチャート作成用シートを提供する。
【００１０】
本発明のカラーチャート作成用シート（以下、単に「シート」と呼ぶことがある）は、色を塗るための枠、および既に販売されている描画材料または筆記具に合わせて、描画材料または筆記具で使用されている色名および／または色名に対応する番号を印刷したシートである。このシートによれば、利用者は、利用者の手元にある描画材料等に表示された色名および／または色名に対応する番号を見ながら、シートの印刷表示に従って色を塗っていくことにより、簡単にカラーチャートを作成することができる。
【００１１】
ここで、「描画材料または筆記具」とは、色（有彩色および無彩色を含む）を塗ることのできる器具および材料を広く含む意味で使用される。「描画材料または筆記具」という用語は、例えば、色鉛筆は、筆記具および描画材料のいずれにも分類されることがあり、また、通常、筆記具として提供されているゲルインキボールペン等も複数色セットとして販売され、描画のために用いられ得ること等を考慮して使用している。以下においては、「描画材料または筆記具」を、「描画材料等」と簡略化して表示することがある。
【００１２】
「色名」は、「あか」、「あお」、「きいろ」および「みどり」等のように広く使用されているもの、ならびに「パーマネントレッドパープル」、「パビリジャン」および「セーブルスグリーンディープ」等のように、特定の商品で用いられているものを含む。「色名に対応する番号」は、描画材料等の製造元または販売元が、製品の管理等の便宜のために、独自に採用している番号である。一般に、この番号は色名とともに、描画材料等に表示されており、色を特定するのに役立つ。以下において、「色名および／または色名に対応する番号」を、「色名等」と簡略化して表示することがある。
【００１３】
本発明のカラーチャート作成用シートにおいては、描画材料または筆記具の商品名が、さらに印刷されていることが好ましい。商品名がシートに表示されていることにより、カラーチャートがいずれの描画材料等のためのものであるかを、利用者は具体的に知ることができる。
【００１４】
本発明のカラーチャート作成用シートにおいては、色を塗るための枠が１５〜８０個設けられていることが好ましい。そのようなシートは、例えば、１５色〜８０色セットの描画材料等についてカラーチャートを作成することを可能にする。
【００１５】
本発明のカラーチャート作成用シートにおいては、各枠は互いに分離していることが好ましい。即ち、色を塗るための枠の境界が、互いに重なっていないことが好ましい。枠を分離することにより、描画材料等の各色を他の色と混同することなく、より正確に把握しやすくなる。
【発明の効果】
【００１６】
本発明のカラーチャート作成用シートは、印刷された表示に従って、利用者が枠内に色を塗ることにより、利用者が持っている描画材料等の各色を表示したカラーチャートを、簡易に完成させることを可能にする。そのようなカラーチャートの作成を通じて、利用者には、自分が使用している描画材料等で実際に紙等を塗ったときに表われる色、および色名等を覚える機会が提供される。また、利用者は、完成したカラーチャートを用いて、塗り絵等の絵画の製作に際し、適切な色を選択することが可能となる。本発明のカラーチャート作成用シートは、特に、２４色、４０色および６０色セットの描画材料等のように、類似する色が複数含まれている描画材料等を使用して絵画を製作する場合に、特に有用である。
【発明を実施するための最良の形態】
【００１７】
本発明のカラーチャート作成用シートは、色名および／または色名に対応する番号が表示されて供給（特に、販売）されている、複数色のセットの描画材料等について、カラーチャートを作成するためのシートである。よって、シートの製造にあたっては、そのシートを用いて作成しようとする、具体的な描画材料等が予め選択される。
【００１８】
描画材料等は、色鉛筆、水彩色鉛筆、水彩絵の具（固形水彩絵の具を含む）、パス、クレヨン、油性ボールペン、ゲルインキボールペン、サインペン、および油性マーカーから任意に選択することができる。本発明のカラーチャート作成用シートは、特に、色鉛筆、水彩色鉛筆、および水彩絵の具のカラーチャートを作成するのに好ましく使用される。それらの描画材料等は、特に、塗り絵用の描画材料等として広く用いられるところ、塗り絵の製作には、描画材料の色を正しく知るためのカラーチャートが特に必要とされることによる。より具体的には、（株）サクラクレパスが販売している、クーピーペンシル（登録商標）、ヴァンゴッホ色鉛筆（商品名）、サクラ水彩色鉛筆（商品名）、ヴァンゴッホ水彩色鉛筆（商品名）、ヴァンゴッホ水彩絵具（商品名）、および固形水彩絵の具であるターレンスプチカラー（商品名）が、描画材料等として好ましく選択される。
【００１９】
描画材料等は、一般に複数色のセットとして販売されている。本発明のカラーチャート作成用シートにおいては、選択した描画材料等のセットの色に対応して、色名等が印刷されていることが好ましい。例えば、２４色セットの色鉛筆を選択した場合には、当該セットに含まれる２４個の色名等が、シートにおいて、印刷により表示されていることが好ましい。それにより、利用者は、自分の持っている描画材料等に正確に対応したカラーチャートを作成することができる。
【００２０】
あるいは、実際のシートの利用に際しては、選択されたセットよりも、色の数が少ないセットの同種の描画材料等を用いて、カラーチャートを作成してよい。例えば、３６色セットの商品に対応するように色名を表示したシートを、２４色セットの同種の商品のカラーチャートを作成するために用いてよい。そのようなシートは、利用者が、後で、他の色を買い足すときに、足りない色を把握するのに便利である。
【００２１】
本発明のカラーチャート作成用シートは、１５〜８０個の枠を有し、１５色〜８０色セットの描画材料等のカラーチャートを作成できるものであることが好ましい。より具体的には、１８色セットの描画材料等のカラーチャートを作成する場合には、１８個以上、好ましくは２０〜６０個、より好ましくは３０〜４０個の枠を有し、２４色セットの描画材料等のカラーチャートを作成する場合には、２４個以上、好ましくは２６〜７０個、より好ましくは３０〜４０個の枠を有し、４０色セットの描画材料等のカラーチャートを作成する場合には、４０個以上、好ましくは４０個〜８０個、より好ましくは５０個〜６０個の枠を有し、６０色セットの描画材料等のカラーチャートを作成する場合には、６０個以上、好ましくは６０個〜１００個、より好ましくは７０個〜８０個の枠を有する。
【００２２】
枠の数が、選択した描画材料等のセットに含まれる色の数よりも多い場合には、枠が余ることとなる。そのような枠は、例えば、２以上の色を混合して塗るためのものとしてよい。その場合には、混合すべき２以上の色名等を、印刷して表示しておいてよく、または、色名等を表示せずに、利用者が自由に混色できるようにしておいてよい。
【００２３】
枠の形状は特に限定されず、長方形、正方形、円形、楕円形、および三角形等のいずれであってもよい。枠の寸法も特に限定されず、シート全体の寸法と、シートに印刷すべき枠の数（選択した描画材料等のセットを構成する色の数）に応じて、適宜選択される。一般に、枠が小さすぎると、利用者が描画材料等で色を塗りにくくなり、また、色を塗った後でカラーチャートとして使用するときに、色の把握が困難となることがある。枠が大きすぎると、一つの枠内を塗るのに時間を要し、利用者がストレスを感じることがある。
【００２４】
枠は、例えば、短辺の長さが１ｃｍ〜３ｃｍ程度、長辺の長さが３ｃｍ〜６ｃｍ程度の長方形とすることが好ましい。この寸法の長方形の枠は、色を塗る作業を行いやすく、また、色塗り後の色を、他の色と比較して把握するのに十分な面積を与える。そのような寸法の長方形はまた、例えば、水彩色鉛筆で枠内の一部分または全部を塗った後、水で溶かす作業をするのに、十分な寸法である。あるいは、枠は、上記寸法の長方形と同程度の面積を有する他の形状としてよい。
【００２５】
枠は、色名および／または色名に対応する番号とともに、表形式のものとして印刷されていてよい。あるいは、枠は、各々が分離して印刷されていてよい。各枠が分離して印刷される場合には、各枠の近くに、色名および／または色名に対応する番号が印刷されていることが好ましい。一つの枠を、他の枠と接しないように配置すると、カラーチャートの作成作業において、色を間違えにくくなり、また、水彩色鉛筆および水彩絵の具を使用するときに、隣の枠の色と混ざることが防止される。色名等は、各枠の上側、下側、左側および右側のいずれに配置されてもよい。色名等は、全ての枠について同じ位置に配置してよく、その場合は、整然としたカラーチャートを作成できる。あるいは、色名等は、枠と色名等との対応が明らかである限りにおいて、枠ごとに異なる位置に配置してよい。例えば、枠の上側に色名等を表示することと、枠の下側に色名等を表示することを、交互に繰り返してよい。
【００２６】
シートに印刷する色名等は、選択した描画材料等に応じて、その描画材料等で採用されているものである。例えば、（株）サクラクレパスが販売するクーピーペンシル６０色セットのカラーチャート作成用シートにおいては、「レモン色（２）」「きいろ（３）」、「やまぶきいろ（４）」（括弧内は色名に対応する番号）、・・・・等、６０の色名等が表示され、（株）サクラクレパスが販売するヴァンゴッホ色鉛筆６０色セットのカラーチャート作成用シートにおいては、「チタニウムホワイト（１０５）」、「ネープルスイエローライト（２２２）」、「パーマネントレモンイエロー（２５４）」（括弧内は色名に対応する番号）、・・・・等、６０の色名等が表示される。
【００２７】
シートには、色名と色名に対応する番号の両方を印刷することが好ましい。その場合には、利用者は、自分の都合に応じて、いずれか一方を頼りにカラーチャートを作成することができる。あるいは、シートには、色名のみ、または色名に対応する番号のみが表示されていてよい。
【００２８】
色名および／または色名に対応する番号は、同系色の色が近くに表示されるように、配置されることが好ましい。使用する描画材料等において、同系色の色を比較して、色をより正しく把握できるようにするためである。あるいは、色名等は、販売されている描画材料等における順序のとおりに、配列してよい。
【００２９】
シートには、選択した描画材料等の商品名、およびセットに含まれる色の数（「２４色」、「６０色」等）が、さらに印刷されていてよい。それにより、作成したカラーチャートが、どの描画材料等を使用して作成したものであるかを、ただちに知ることができ、カラーチャートを作成した人以外の人がカラーチャートを利用するときにも便利である。
【００３０】
シートに印刷される枠および色名等の色は、特に限定されず、文字等の寸法も特に限定されない。例えば、枠および色名等は、黒色で表示してよい。または、枠および色名等は他の色（例えば、茶色、青色、または緑色等）の単色刷りにより、印刷してよい。あるいは、色名等は、カラー印刷により、対応する色名の色となるように表示してよい。また、枠は、実線で表示してよく、あるいは、破線、点線、または波線等で表示してもよい。
【００３１】
枠および色名等を印刷するシート本体は、紙（上質紙、再生用紙、模造紙および画用紙等）、プラスチック、または布から成る。好ましくは、シート本体は、紙、または紙と他の材料のシートとの積層体である。紙は取扱いが容易で、また、紙には枠等の印刷を容易に実施できることによる。シート本体の色は、好ましくは白色である。シート本体が白色であると、描画材料等の色が良好にシート上に表れることとなる。尤も、シート本体は厳密な白色である必要はなく、カラーチャートの作成に影響を及ぼさない程度に薄く着色されていてよい。具体的には、シート本体は、例えば、オフホワイト、アイボリーまたは生成の色を有してよい。あるいは、シート本体は、全体が黒色であって、枠内のみを白色としたものであってもよい。
【００３２】
シート全体の大きさは特に限定されず、例えば、Ｂ４サイズ、Ａ３サイズ、またはＡ４サイズとしてよく、あるいは、そのまま又は２つ折りもしくはそれ以上折ったときに、特定の書籍（好ましくは、塗り絵本）に挟み込むことのできるような寸法としてもよい。あるいはまた、シートは、そのままで又は２つ折りもしくはそれ以上折ったときに、選択した描画材料等のケースに収容できるような寸法としてもよい。シートを書籍または描画材料等のケースに収容できる寸法とすれば、描画のときに常にカラーチャートを携帯することができ、便利である。
【００３３】
シートは好ましくは１枚のものとして提供される。１枚のシートにおいて、描画材料等の全色が表示されたカラーチャートは、色を比較するうえで便利であり、また、携帯性にも優れていることによる。シートは、必要に応じて、２枚組またはそれ以上の枚数の組み合わせとして提供されてよい。
【００３４】
本発明のカラーチャート作成用シートの例を、図１〜図４に示す。図示したシートは、実際に販売されている商品に対応している。図１は、（株）サクラクレパスが販売するクーピーペンシル（登録商標）６０色セットのカラーチャート作成用シートを示し、図２は、（株）サクラクレパスが販売するヴァンゴッホ色鉛筆（商品名）６０色セットのカラーチャート作成用シートを示し、図３は、（株）サクラクレパスが販売するヴァンゴッホ水彩絵具（商品名）４０色セットのカラーチャート作成用シートを示し、図４は、（株）サクラクレパスが販売する水彩色鉛筆２４色セットのカラーチャート作成用シートを示す。
【００３５】
図１に示すシート１０は、短辺×長辺が１．２ｃｍ×４．０ｃｍである長方形の枠１２が、互いに分離して８０個印刷され、うち６０個の枠の下方に、クーピーペンシル（登録商標）６０色セットで採用されている、色名およびそれに対応した番号１４が印刷されている。さらに、シートには、色鉛筆の商品名および販売元の略称を含む、「サクラ  クーピーペンシル  カラーチャート（６０色）」の表示１６が印刷され、このシートによりクーピーペンシルのカラーチャートが作成されることが明示されている。色名および番号は、カラーチャート作成後に同系色の色が互いに近くに配列されるように、表示されている。色名および番号が表示されていない枠は、利用者が自由に使用してよく、例えば、２以上の色を重ねて塗るために使用してよい。
【００３６】
図示したシート１０は、短辺×長辺が約２７ｃｍ×約４１ｃｍである、長方形のシートである。このシート１０は、２つ折りにするための折り目Ｌが設けられている。この寸法のシートは２つ折りにしたときに、（株）河出書房新社発行の書籍「大人の塗り絵」に挟み込める寸法である。
【００３７】
図２に示すシート２０において、枠２２の寸法および数、ならびにシート２０の寸法は、図１に示すシート１０のそれらと同じである。図２においては、ヴァンゴッホ色鉛筆（商品名）６０色セットで採用されている色名およびそれに対応した番号２４が印刷され、商品名を含む「ヴァンゴッホ色鉛筆  カラーチャート（６０色）」の表示２６が印刷されている。
【００３８】
図３に示すシート３０は、図１に示すシート１０の半分の寸法を有する。各枠３２の寸法は、図１に示す枠１２の寸法と同じである。枠３２の数は４０個で、各枠の下方に、ヴァンゴッホ水彩絵具（商品名）４０色セットで採用されている色名およびそれに対応した番号３４が表示されている。また、商品名を含む、「ヴァンゴッホ水彩絵具カラーチャート（４０色）」の表示３６が印刷されている。このシートは、４０色セットの水彩絵具の全色を使用すると、すべての枠内が塗りつぶされるようになっている。このシートは、このままで、（株）河出書房新社発行の書籍「大人の塗り絵」に挟み込める寸法である。
【００３９】
図４に示すシート４０は、図３に示すシート３０と同じ寸法を有する。各枠４２の寸法は、図１に示す枠１２の寸法と同じである。枠４２の数は４０個で、うち２４個の枠の下方に、（株）サクラクレパスが販売する水彩色鉛筆２４色セットで採用されている色名およびそれに対応した番号４４が表示されている。また、商品名および販売元の略称を含む、「サクラ  水彩色鉛筆カラーチャート（２４色）」の表示４６が印刷されている。
【００４０】
各枠が互いに分離していない一覧表形式のカラーチャート作成用シートの一例を図５に示す。図５は、（株）サクラクレパスが販売する水彩色鉛筆２４色セットのカラーチャート作成用シートである。図５に示すシート５０においては、表の左列に色名およびそれに対応した番号５４が表示され、表の右列を枠５２として使用する。図５に示すシートにおいても、商品名および販売元の略称を含む、「サクラ  水彩色鉛筆カラーチャート（２４色）」の表示５６が印刷されている。一覧表形式のシートはこれに限られず、上下２段の表であって、上段に色名および／またはそれに対応した番号を表示し、下段を、色を塗るための枠として使用する形式であってよい。
【００４１】
図示した形態は、本発明の例にすぎず、本発明はこれらに限定されない。また、図示した形態のシートには、適宜変更を加えてよい。例えば、枠の形状は、長方形に代えて、正方形、円形、楕円形、三角形もしくは他の多角形、または花形、そら豆形、もしくは涙形としてよい。また、色名等を表示する位置は、枠の下側に限られず、枠の上側、右側、または左側であってよい。
【００４２】
本発明のカラーチャート作成用シートは、また、塗り絵本または塗り絵の教科書に、付属品として、綴じ込まれている形態で提供されてよい。そのような形態で提供される本発明のシートは、利用者が色を正しく把握してもらうための塗り絵練習シートとして使用され得る。
【産業上の利用可能性】
【００４３】
本発明のカラーチャート作成用シートは、色鉛筆等の描画材料等を用いて、塗り絵等の描画をする人が、自分の使用する描画材料等の色を正確に把握するためのカラーチャートを作成することを容易にし、家庭、学校、または各種施設において使用する、絵画道具として有用である。
【図面の簡単な説明】
【００４４】
【図１】本発明のカラーチャート作成用シートの一例を示す平面図である。
【図２】本発明のカラーチャート作成用シートの一例を示す平面図である。
【図３】本発明のカラーチャート作成用シートの一例を示す平面図である。
【図４】本発明のカラーチャート作成用シートの一例を示す平面図である。
【図５】本発明のカラーチャート作成用シートの一例を示す平面図である。
【符号の説明】
【００４５】
１０、２０、３０、４０、５０  カラーチャート作成用シート
１２、２２、３２、４２、５２  枠
１４、２４、３４、４４、５４  色名および色名に対応する番号
１６、２６、３６、４６、５６  描画材料等の商品名を含む表示
Ｌ  折り目
【図１】
2008122671.tif 000003
【図２】
2008122671.tif 000004
【図３】
2008122671.tif 000005
【図４】
2008122671.tif 000006
【図５】
2008122671.tif 000007